【手続補正書】
【提出日】平成17年1月5日(2005.1.5)
【手続補正１】
【補正対象書類名】特許請求の範囲
【補正対象項目名】全文
【補正方法】変更
【補正の内容】
【特許請求の範囲】
【請求項１】
より小さい直径からより大きな直径へ直径に沿って延伸膨張することのできるエンドプロテーゼと、該エンドプロテーゼのより小さい直径で該エンドプロテーゼの周りに同軸で提供され、崩壊のための手段を備えた、一般に管状の拘束シースとを含んで成り、外部への膨張力を該拘束シースに適用するための手段を含む、エンドプロテーゼアッセンブリ。
【請求項２】
外部への膨張力を適用するための手段が、エンドプロテーゼの内部に配置された膨張可能なカテーテルバルーンである、請求項１に記載のエンドプロテーゼアッセンブリ。
【請求項３】
崩壊のための手段が穿孔を含んで成る、請求項１に記載のエンドプロテーゼアッセンブリ。
【請求項４】
該穿孔が、一般に管状の拘束シースの長軸に実質的に平行な少なくとも１つの実質的に直線に配向された、請求項３に記載のエンドプロテーゼアッセンブリ。
【請求項５】
該穿孔が、一般に管状の拘束シースの長軸に平行でない線に配列された、請求項３に記載のエンドプロテーゼアッセンブリ。
【請求項６】
該シースが多孔性延伸膨張ポリテトラフルオロエチレンを含んで成る、請求項１に記載のエンドプロテーゼアッセンブリ。
【請求項７】
該多孔性延伸膨張ポリテトラフルオロエチレンが、多孔性延伸膨張ポリテトラフルオロエチレンフィルムを含んで成る、請求項６に記載のエンドプロテーゼアッセンブリ。
【請求項８】
該多孔性延伸膨張ポリテトラフルオロエチレンフィルムは、１つの層が該拘束シースの全周未満に広がる層において適用される、請求項７に記載のエンドプロテーゼアッセンブリ。
【請求項９】
該拘束シースが全長を有し、該多孔性延伸膨張ポリテトラフルオロエチレンフィルムは、１つの層が該拘束シースの該全長未満について広がる層において適用される、請求項７に記載のエンドプロテーゼアッセンブリ。
【請求項１０】
崩壊のための手段が継ぎ目線を含んで成る、請求項１に記載のエンドプロテーゼアッセンブリ。
【請求項１１】
該拘束シースがカテーテルシャフトに付着した１つの端部を有する、請求項１に記載のエンドプロテーゼアッセンブリ。
【請求項１２】
該拘束シースが埋め込み可能である、請求項１に記載のエンドプロテーゼアッセンブリ。
【請求項１３】
該拘束シースがエンドプロテーゼの展開に続いて取り除くことのできる、請求項１に記載のエンドプロテーゼアッセンブリ。
【請求項１４】
前記エンドプロテーゼが膨張性のステント被覆を備えたステントを含んで成る、請求項１に記載のエンドプロテーゼアッセンブリ。
【請求項１５】
該拘束シースが展開に続いて放出することのできる治療物質を含む、請求項１に記載のエンドプロテーゼアッセンブリ。
【請求項１６】
前記拘束シースが２つの隣接する穿孔の列を有し、外部への膨張力の適用手段が、２つの隣接する穿孔の列の間に配置した、拘束シースの一部の先端部に付着した引張り紐である、請求項１に記載のエンドプロテーゼアッセンブリ。
【請求項１７】
前記拘束シース及びエンドプロテーゼがそれぞれある長さを有し、且つ、外部への膨張力の適用が崩壊であるための手段が、該エンドプロテーゼ及び拘束シースの該長さの少なくとも一部を貫いて移動可能な物体であり、前記物体がエンドプロテーゼの該より小さい直径よりも大きな直径を有する、請求項１に記載のエンドプロテーゼアッセンブリ。
【請求項１８】
該エンドプロテーゼが第１及び第２端部を有し、第１端部のみが該より大きな直径に延伸膨張する、請求項１に記載のエンドプロテーゼアッセンブリ。
【請求項１９】
該エンドプロテーゼがオクルダーである、請求項１８に記載のエンドプロテーゼアッセンブリ。
【請求項２０】
該エンドプロテーゼがフィルターである、請求項１８に記載のエンドプロテーゼアッセンブリ。
【請求項２１】
該エンドプロテーゼの該第２端部が、該より大きな直径により後の時間で延伸膨張可能である、請求項１８に記載のエンドプロテーゼアッセンブリ。
【請求項２２】
該崩壊のための手段がヒンジを含んで成る、請求項１に記載のエンドプロテーゼアッセンブリ。
【請求項２３】
該拘束シースが放射線不透過性マーカーを含む、請求項１に記載のエンドプロテーゼアッセンブリ。
【請求項２４】
前記拘束シースが繊細な拘束シースであり、且つ、該アッセンブリが埋め込み可能であることを必要としない包装シースの内部に含まれる、請求項１に記載のエンドプロテーゼアッセンブリ。
【請求項２５】
該エンドプロテーゼが自己延伸膨張エンドプロテーゼである、請求項２４に記載のエンドプロテーゼアッセンブリ。
【請求項２６】
該繊細な拘束シースが多孔性延伸膨張ポリテトラフルオロエチレンを含んで成る、請求項２４に記載のエンドプロテーゼアッセンブリ。
【請求項２７】
該繊細な拘束シースが、該包装シースがないときに、少なくとも２１時間の間、少なくとも６０℃の温度にさらされると、少なくとも部分的に崩壊するか、エンドプロテーゼアッセンブリの最大直径において少なくとも０．１５ｍｍ増加する、請求項２４〜２６の何れか１項に記載のエンドプロテーゼアッセンブリ。
【請求項２８】
該繊細な拘束シースが、該包装シースがないときに、少なくとも２４時間の間、少なくとも６０℃の温度にさらされると、少なくとも部分的に崩壊するか、エンドプロテーゼアッセンブリの最大直径において少なくとも０．１５ｍｍ増加する、請求項２４〜２６の何れか１項に記載のエンドプロテーゼアッセンブリ。
【請求項２９】
該繊細な拘束シースが、該包装シースがないときに、少なくとも４８時間の間、少なくとも６０℃の温度にさらされると、少なくとも部分的に崩壊するか、エンドプロテーゼアッセンブリの最大直径において少なくとも０．１５ｍｍ増加する、請求項２４〜２６の何れか１項に記載のエンドプロテーゼアッセンブリ。
【請求項３０】
該繊細な拘束シースが、該包装シースがないときに、少なくとも５日の間、少なくとも６０℃の温度にさらされると、少なくとも部分的に崩壊するか、エンドプロテーゼアッセンブリの最大直径において少なくとも０．１５ｍｍ増加する、請求項２４〜２６の何れか１項に記載のエンドプロテーゼアッセンブリ。
【請求項３１】
該繊細な拘束シースが、該包装シースがないときに、少なくとも１０日の間、少なくとも６０℃の温度にさらされると、少なくとも部分的に崩壊するか、エンドプロテーゼアッセンブリの最大直径において少なくとも０．１５ｍｍ増加する、請求項２４〜２６の何れか１項に記載のエンドプロテーゼアッセンブリ。
【請求項３２】
該繊細な拘束シースが、該包装シースがないときに、少なくとも２０日の間、少なくとも６０℃の温度にさらされると、少なくとも部分的に崩壊するか、エンドプロテーゼアッセンブリの最大直径において少なくとも０．１５ｍｍ増加する、請求項２４〜２６の何れか１項に記載のエンドプロテーゼアッセンブリ。
【請求項３３】
該繊細な拘束シースが、該包装シースがないときに、少なくとも３０日の間、少なくとも６０℃の温度にさらされると、少なくとも部分的に崩壊するか、エンドプロテーゼアッセンブリの最大直径において少なくとも０．１５ｍｍ増加する、請求項２４〜２６の何れか１項に記載のエンドプロテーゼアッセンブリ。
【請求項３４】
該繊細な拘束シースが、該包装シースがないときに、少なくとも４５日の間、少なくとも６０℃の温度にさらされると、少なくとも部分的に崩壊するか、エンドプロテーゼアッセンブリの最大直径において少なくとも０．１５ｍｍ増加する、請求項２４〜２６の何れか１項に記載のエンドプロテーゼアッセンブリ。
【請求項３５】
該繊細な拘束シースが、該包装シースがないときに、少なくとも６０日の間、少なくとも６０℃の温度にさらされると、少なくとも部分的に崩壊するか、エンドプロテーゼアッセンブリの最大直径において少なくとも０．１５ｍｍ増加する、請求項２４〜２６の何れか１項に記載のエンドプロテーゼアッセンブリ。
【手続補正２】
【補正対象書類名】明細書
【補正対象項目名】００８６
【補正方法】変更
【補正の内容】
【００８６】
この例に使用する拘束シースは、増加した温度にさらすことにより崩壊したか、又は、少なくとも０．１５ｍｍ（カテーテルサイズ単位に関して約１／２フレンチサイズであり、カテーテルは１／２フレンチの増加直径において利用できる）直径において増加したという事実によって“繊細”であるとされる。したがって、１／２フレンチサイズカテーテル分、直径において増加する繊細な拘束シースは、この試験に続いて、次のより大きなフレンチサイズカテーテルに収まる。この量成長する拘束シースは、１つのカテーテルサイズ（１／２フレンチサイズ）における増加を必要とする。拘束シースは、６０日以下の間、４５日以下の間、３０日以下の間、２０日以下の間、１０日以下の間、５日以下の間、４８時間以下の間、２４時間以下の間、又は、２１時間以下の間、６０℃の温度にさらされるとき、それが崩壊する、又は、（アッセンブリの長さに沿ってレーザーマイクロメータで測定したときに得られた最も大きい直径を意味する、最大直径として測定された）少なくとも０．１５ｍｍ直径において増加する場合、繊細な拘束シースであるとされる。